(57)【要約】【課題】  上下カーソルキーの操作のみによって、表示器に表示される表示画面の行単位のスクロールの他ページ単位のスクロールが行える画像形成装置を提供することを目的とする。【解決手段】  この複写機において、モードセット手段は、上カーソルキー及び下カーソルキーの少なくとも一方に対し所定の操作がされた場合に、表示画面をページ単位でスクロールさせるためのページスクロールモードをセットする。判別手段は、上カーソルキー及び下カーソルキーの一方のみが操作された場合に、ページスクロールモードがセットされているか否かを判別する。スクロール手段は、判別手段によってページスクロールモードがセットされていると判別された場合に、操作された上カーソルキーまたは下カーソルキーに割り当てられている方向に表示画面をページ単位でスクロールさせるとともに、ページスクロールモードをリセットする。【選択図】      図１
2006065838.tif 000002
【特許請求の範囲】
【請求項１】
表示器を備え、前記表示器に表示されるカーソルを移動させるとともに前記表示器に表示される表示画面を行単位でスクロールさせるための上カーソルキー及び下カーソルキーを有する電気機器であって、
前記上カーソルキー及び下カーソルキーの少なくとも一方に対し所定の操作がされた場合に、前記表示画面をページ単位でスクロールさせるためのページスクロールモードをセットするモードセット手段と、
前記上カーソルキー及び下カーソルキーの一方のみが操作された場合に、前記ページスクロールモードがセットされているか否かを判別する判別手段と、
前記判別手段によって前記ページスクロールモードがセットされていると判別された場合に、操作された前記上カーソルキーまたは下カーソルキーに割り当てられている方向に前記表示画面をページ単位でスクロールさせるとともに、前記ページスクロールモードをリセットするスクロール手段と、
を備えた電気機器。
【請求項２】
前記セット手段は、前記上カーソルキー及び下カーソルキーが同時に操作された場合に、前記ページスクロールモードをセットする、請求項１に記載の電気機器。
【請求項３】
前記セット手段は、前記上カーソルキー及び下カーソルキーの少なくとも一方が所定時間以上操作された場合に、前記ページスクロールモードをセットする、請求項１に記載の電気機器。
【請求項４】
前記セット手段は、前記上カーソルキー及び下カーソルキーの少なくとも一方が所定回数操作された場合に、前記ページスクロールモードをセットする、請求項１に記載の電気機器。
【請求項５】
前記上カーソルキー及び下カーソルキーは、互いに離れて配置され、
前記セット手段は、前記上カーソルキー及び下カーソルキーの間の部分が操作された場合に、前記ページスクロールモードをセットする、
請求項１に記載の電気機器。
【請求項６】
転写材に画像形成を行うための画像形成部をさらに備えた、請求項１から５のいずれか１項に記載の電気機器。
【請求項７】
表示器を備え、前記表示器に表示されるカーソルを移動させるとともに前記表示器に表示される表示画面を行単位でスクロールさせるための上カーソルキー及び下カーソルキーを有する電気機器により実行される制御方法であって、
前記上カーソルキー及び下カーソルキーの少なくとも一方に対し所定の操作がされた場合に、前記表示画面をページ単位でスクロールさせるためのページスクロールモードをセットするモードセットステップと、
前記上カーソルキー及び下カーソルキーの一方のみが操作された場合に、前記ページスクロールモードがセットされているか否かを判別する判別ステップと、
前記判別ステップによって前記ページスクロールモードがセットされていると判別された場合に、操作された前記上カーソルキーまたは下カーソルキーに割り当てられている方向に前記表示画面をページ単位でスクロールさせるとともに、前記ページスクロールモードをリセットするスクロールステップと、
を含む電気機器の制御方法。
【発明の詳細な説明】
【技術分野】
【０００１】
本発明は、表示器を備え、表示器に表示される表示画面を行単位でスクロールさせるための上カーソルキー及び下カーソルキーを有する電気機器、及びその制御方法に関する。
【背景技術】
【０００２】
電気機器としての複写機の操作パネルには、各種操作キーの他、表示器が設けられている。表示器に表示される表示画面は、上カーソルキー及び下カーソルキー（以下、上下カーソルキーともいう）のいずれかを操作することによってスクロールさせることが可能となっている。この場合、上下カーソルキーを押し下げると、画面が１行ずつスクロールされる。また、上下カーソルキーの押し下げを続けると、画面が連続的にスクロールされる。
【０００３】
また、表示画面をページ単位（表示画面領域の高さに相当する複数行分を１単位とする単位）でスクロールさせるような機器も存在するが、この場合には、上下スクロールキーとは別のキーを操作する必要があった。
【特許文献１】特開２００２−６２７６４号公報
【特許文献２】特開２００１−２４５３５１号公報
【発明の開示】
【発明が解決しようとする課題】
【０００４】
本発明は、上下カーソルキーの操作のみによって、表示器に表示される表示画面の行単位のスクロールの他ページ単位のスクロールが行える電気機器を提供することを目的とする。
【課題を解決するための手段】
【０００５】
請求項１に記載の電気機器は、表示器を備え、表示器に表示されるカーソルを移動させるとともに表示器に表示される表示画面を行単位でスクロールさせるための上カーソルキー及び下カーソルキーを有する電気機器であって、モードセット手段と、判別手段と、スクロール手段とを備えている。モードセット手段は、上カーソルキー及び下カーソルキーの少なくとも一方に対し所定の操作がされた場合に、表示画面をページ単位でスクロールさせるためのページスクロールモードをセットする。判別手段は、上カーソルキー及び下カーソルキーの一方のみが操作された場合に、ページスクロールモードがセットされているか否かを判別する。スクロール手段は、判別手段によってページスクロールモードがセットされていると判別された場合に、操作された上カーソルキーまたは下カーソルキーに割り当てられている方向に表示画面をページ単位でスクロールさせるとともに、ページスクロールモードをリセットする。
【０００６】
請求項２に記載の電気機器は、請求項１の電気機器において、セット手段は、上カーソルキー及び下カーソルキーが同時に操作された場合に、ページスクロールモードをセットする。
【０００７】
請求項３に記載の電気機器は、請求項１の電気機器において、セット手段は、上カーソルキー及び下カーソルキーの少なくとも一方が所定時間以上操作された場合に、ページスクロールモードをセットする。
【０００８】
請求項４に記載の電気機器は、請求項１の電気機器において、セット手段は、上カーソルキー及び下カーソルキーの少なくとも一方が所定回数操作された場合に、ページスクロールモードをセットする。
【０００９】
請求項５に記載の電気機器は、請求項１の電気機器において、上カーソルキー及び下カーソルキーは、互いに離れて配置されている。そして、セット手段は、上カーソルキー及び下カーソルキーの間の部分が操作された場合に、ページスクロールモードをセットする。
【００１０】
請求項６に記載の電気機器は、請求項１から５のいずれか１項の電気機器において、転写材に画像形成を行うための画像形成部をさらに備えている。
【００１１】
請求項７に記載の制御方法は、表示器を備え、表示器に表示されるカーソルを移動させるとともに表示器に表示される表示画面を行単位でスクロールさせるための上カーソルキー及び下カーソルキーを有する電気機器により実行される制御方法であって、モードセットステップと、判別ステップと、スクロールステップとを含む。モードセットステップでは、上カーソルキー及び下カーソルキーの少なくとも一方に対し所定の操作がされた場合に、表示画面をページ単位でスクロールさせるためのページスクロールモードをセットする。判別ステップでは、上カーソルキー及び下カーソルキーの一方のみが操作された場合に、ページスクロールモードがセットされているか否かを判別する。スクロールステップでは、判別ステップによってページスクロールモードがセットされていると判別された場合に、操作された上カーソルキーまたは下カーソルキーに割り当てられている方向に表示画面をページ単位でスクロールさせるとともに、ページスクロールモードをリセットする。
【発明の効果】
【００１２】
本発明によれば、上下カーソルキーの操作のみによって、表示器に表示される表示画面の行単位のスクロールの他ページ単位のスクロールが行えるようになる。
【発明を実施するための最良の形態】
【００１３】
以下、図面を参照して、本発明を複写機に適用した場合の実施形態について説明する。
【００１４】
図１は、デジタル複写機の概略構成を示している。
【００１５】
デジタル複写機は、スキャナ部１０と、制御部２０と、ハードディスクドライブ
（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備え、モードセット手段２１、判別手段２２及びスクロール手段２３として機能し得る。
【００１６】
画像形成部４０は、レーザスキヤンユニット（ＬＳＵ）４１と、感光体ドラム等を含む静電複写機構とを備えている。ユーザ操作部５０は、上下カーソルキー、テンキー、スタートボタン、割り込ボタン等の各種キーを含むキー入力部５１と、液晶表示部５２と、ＬＥＤ表示部５３とを備えている。
【００１７】
原稿送り装置（ＤＦ）１１によって図示しないコンタクトガラス上に送られた原稿は、スキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体ドラム上に静電潜像パターンを形成する。
【００１８】
この複写機では、上下カーソルキーによって、液晶表示部５２に表示された画面を、行単位で縦方向スクロールさせる機能とページ単位で縦方向スクロールさせる機能とを備えている。ここで、ページ単位の縦スクロールとは、表示画面領域の高さに相当する複数行分を１単位として縦スクロールさせることをいう。
【００１９】
例えば、図２に示すような画面（リスト画面の一部）が液晶表示部５２に表示されているとする。図２において、矢印１００は、カーソルである。図２の状態で、下カーソルキーが押下げられると、カーソル１００が一行分だけ下方向に移動する。カーソル１００が表示画面の最下行にある状態で、下カーソルキーが押下げられると、表示画面が一行分上方向に移動する。この場合、カーソル１００は、表示画面の最下行に位置したままである。
【００２０】
つまり、図３（ａ）に示すように、液晶表示部５２にリスト画面２００の一部が表示されかつカーソル１００が表示画面の最下行にある状態において、下カーソルキーが押下げられると、表示画面が一行分上方向に移動するので、表示画面は図３（ｂ）に示すように変化する。
【００２１】
一方、図２の状態で、上カーソルキーが押下げられると、カーソル１００が一行分だけ上方向に移動する。カーソルが表示画面の最上行にある状態で、上カーソルキーが押し下げられると、表示画面が一行分下方向に移動する。この場合、カーソルは、表示画面の最上行に位置したままである。
【００２２】
次いでページ単位での縦方向スクロールについて説明する。上下カーソルキーを同時に押下げた後に、下カーソルキーを押すと、表示画面がページ単位で上方向に移動する。つまり、図３（ａ）に示すように、液晶表示部５２にリスト画面２００の一部が表示されている場合において、上下カーソルキーを同時に押下げた後に、下カーソルキーを押すと、ページ単位（表示画面領域の高さに相当する複数行分を１単位とする単位）で表示画面が上方向に移動するので、表示画面は図３（ｃ）のように変化する。一方、上下カーソルキーを同時に押下げた後に、上カーソルキーを押すと、ページ単位で表示画面が下方向に移動する。
【００２３】
図４は、制御部２０によるスクロール制御処理手順を示している。
【００２４】
液晶表示部５２にリスト表示が行われている状態において（ステップＳ１）、上下カーソルキーの少なくとも一方が押下げられると、押し下げられたキー情報が取得され（ステップＳ２）、取得したキー情報に基づいて、上下カーソルキーが同時に押し下げられたか否かが判別される（ステップＳ３）。上下カーソルキーが同時に押し下げられた場合には、ページスクロールモードがセットされた後（ステップＳ４）、ステップＳ５に移行する。
【００２５】
ステップＳ３において、上下カーソルキーが同時に押し下げられていないと判別された場合には、上カーソルキーが押下げられたか否かが判別される（ステップＳ５）。上カーソルキーが押下げられたと判別された場合には、ページスクロールモードがセットされているか否かが判別される（ステップＳ６）。ページスクロールモードがセットされていない場合には、カーソルが表示画面の最上行にあるか否かが判別される（ステップＳ７）。カーソルが表示画面の最上行にない場合には、カーソルが上方向に一行分移動した後（ステップＳ８）、ステップＳ２に戻る。
【００２６】
ステップＳ７において、カーソルが表示画面の最上行にあると判別された場合には、表示画面が一行分下方向に移動（スクロール）した後（ステップＳ９）、ステップＳ２に戻る。この場合、カーソルは表示画面の最上行に位置したままである。
【００２７】
ステップＳ６において、ページスクロールモードがセットされていると判別された場合には、表示画面が１ページ単位分下方向に移動（スクロール）した後（ステップＳ１０）、ページスクロールモードはリセットされる（ステップＳ１１）。そして、ステップＳ２に戻る。
【００２８】
ステップＳ５において、上カーソルキーが押下げられたと判別されなかった場合には、下カーソルキーが押下げられたか否かが判別される（ステップＳ１２）。下カーソルキーが押下げられたと判別されなかった場合には、ステップＳ２に戻る。
【００２９】
ステップＳ１２において、下カーソルキーが押下げられたと判別された場合には、ページスクロールモードがセットされているか否かが判別される（ステップＳ１３）。ページスクロールモードがセットされていない場合には、カーソルが表示画面の最下行にあるか否かが判別される（ステップＳ１４）。カーソルが表示画面の最下行にない場合には、カーソルが一行分下方向に移動した後（ステップＳ１５）、ステップＳ２に戻る。
【００３０】
ステップＳ１４において、カーソルが表示画面の最下行にあると判別された場合には、画面が一行分上方向に移動（スクロール）した後（ステップＳ１６）、ステップＳ２に戻る。この場合、カーソルは表示画面の最上行に位置したままである。
【００３１】
ステップＳ１３において、ページスクロールモードがセットされていると判別された場合には、表示画面が１ページ単位分上方向に移動（スクロール）した後（ステップＳ１７）、ページスクロールモードはリセットされる（ステップＳ１８）。そして、ステップＳ２に戻る。
【００３２】
上記実施形態では、上下カーソルキーは、キー入力部５１に設けられていたが、液晶表示部５２がタッチパネル式である場合には、液晶表示部５２に表示される操作ボタンとして設けられてもよい。この場合、例えば、図５に示すような、上カーソルキー５２ａ及び下カーソルキー５２ｂを含む表示画面が表示される。
【００３３】
また、本発明は、複写機に限定されず、プリンタ機能、ＦＡＸ機能等をさらに備えた複合機や、プリンタまたはＦＡＸ専用品等であってもよい。プリンタの場合、例えば、図６に示すように、キー入力部に上カーソルキー６２ａ及び下カーソルキー６２ｂを設けても良い。
【００３４】
さらに、本発明は、複写機、複合機等の画像形成装置に限定されず、カーソルのスクロール表示を行なう表示部を有するものであれば、携帯電話機、情報処理装置等の他の電気機器にも適用し得る。
【００３５】
また、上記実施形態では、上下カーソルキーを同時に押下げたときにページスクロールモードが機能する構成について述べたが、同時に押下げる他にも、上下カーソルキーの何れかを所定時間以上押した場合や、所定回数押下げた場合に機能しても良い。
【００３６】
さらに、上カーソルキー及び下カーソルキーが離れて配置されている場合は、これらの間の部分を押下げることでページスクロールモードがセットされても良い。このような構成は、例えば、図７に示すように、携帯電話機において、上下カーソルキー７２ａ，７２ｂが１つの操作ボタン７２に一体に設けられている場合や、上カーソルキーと下カーソルキーとが互いに離れて配置され、同時に押下げるには手または操作手段による操作が困難な場合などにおいて有効である。後者の場合の例としては、パーソナルコンピュータのディスプレイ上に表示される上下カーソルキーのように、マウス等の操作手段による操作が同時に行えないものが挙げられる。
【図面の簡単な説明】
【００３７】
【図１】本発明の一実施形態による複写機の構成を示すブロック図である。
【図２】複写機の液晶表示部に表示されるリスト画面の一部を示す模式図である。
【図３】液晶表示部での行単位での縦方向スクロールとページ単位での縦方向スクロールとを説明するための模式図である。
【図４】複写機の制御部によるスクロール制御処理手順を示すフローチャートである。
【図５】本発明の他の実施形態による画像形成装置の液晶表示部に表示される、上下カーソルキーを含む表示画面を示す平面図である。
【図６】本発明の他の実施形態による画像形成装置のキー入力部を示す平面図である。
【図７】本発明の他の実施形態による携帯電話機を示す平面図である。
【符号の説明】
【００３８】
１０  スキャナ部
２０  制御部
３０  ハードディスク（ＨＤＤ）
４０  画像形成部
５０  ユーザ操作部
５１  キー入力部
５２  液晶表示部
５３  ＬＥＤ表示部
５２ａ，６２ａ，７２ａ  上カーソルキー
５２ｂ，６２ｂ，７２ｂ  下カーソルキー
【図１】
2006065838.tif 000003
【図２】
2006065838.tif 000004
【図３】
2006065838.tif 000005
【図４】
2006065838.tif 000006
【図５】
2006065838.tif 000007
【図６】
2006065838.tif 000008
【図７】
2006065838.tif 000009